(57)【特許請求の範囲】
【請求項１】
光ディスクを回転駆動し、光ピックアップにより記録又は再生を行うドライブ機構と、該ドライブ機構を収容し、前面にトレイ引き出し口が開口する筺体と、前記トレイ引き出し口を介して、ディスク装着位置とディスク駆動位置との間で前記筺体内外を往復動自在に保持したローディングトレイとを備えた光ディスクドライブ装置であって、
前記ローディングトレイは、前記トレイ引き出し口を覆う大きさの前面板と、該前面板の背面に突設したホルダ部と、該ホルダ部に一部分が撓み変形余裕を残して嵌装され、前記ディスク駆動位置において前記一部分が前記トレイ引き出し口の前記開口縁部と前記前面板の背面との間に介在して前記筺体内への塵埃の進入を阻止する防塵材とを具備し、
前記防塵材は、可撓性シートであり、前記ホルダ部に嵌装する筒状体と該筒状体から延出して前記一部分となるフラップ部とを具備することを特徴とする光ディスクドライブ装置。
【請求項２】
前記ホルダ部は、梁状の係合突起が複数箇所に突接されており、前記防塵材は、前記係合突起に係合して、位置決め及び抜け止めを果たす係合孔が複数箇所に穿設されていることを特徴とする請求項１記載の光ディスクドライブ装置。
【請求項３】
前記筒状体の各側面の接続部分には切り込みが設けられていることを特徴とする請求項１又は２記載の光ディスクドライブ装置。
【請求項４】
光ディスクを回転駆動し、光ピックアップにより記録又は再生を行うドライブ機構と、該ドライブ機構を収容し、前面にトレイ引き出し口が開口する筺体と、前記トレイ引き出し口を介して、ディスク装着位置とディスク駆動位置との間で前記筺体内外を往復動自在に保持したローディングトレイとを備え、前記ローディングトレイは、前記トレイ引き出し口を覆う大きさの前面板と、該前面板の背面に突設したホルダ部を備えた光ディスクドライブ装置における可撓性シートである防塵材であって、
前記ホルダに嵌装する筒状体と該筒状体から延出して前記一部分となるフラップ部とを具備し、
前記ホルダ部に前記フラップ部が撓み変形余裕を残して嵌装され、前記ディスク駆動位置において前記フラップ部が前記トレイ引き出し口の前記開口縁部と前記前面板の背面との間に介在し、前記筺体内への塵埃の進入を阻止することを特徴とする防塵材。
【請求項５】
前記ホルダ部は、梁状の係合突起が複数箇所に突接されており、前記防塵材は、前記係合突起に係合して、位置決め及び抜け止めを果たす係合孔が複数箇所に穿設されていることを特徴とする請求項４記載の防塵材。
【請求項６】
前記筒状体の各側面の接続部分には切り込みが設けられていることを特徴とする請求項４又は５記載の防塵材。
【発明の詳細な説明】
【０００１】
【発明の属する技術分野】
本発明は、防塵材、及びそれを取り付けた光ディスクドライブ装置の技術に関する。
【０００２】
【従来の技術】
光ディスクを回転駆動し、光ピックアップにより記録又は再生を行う光ディスクドライブ装置は、ドライブ機構を収容する装置筺体の前面部にローディング機構を配設したフロントローディング方式が大半を占めている。この種のフロントローディングトレイ方式では、筺体前面に開口するトレイ引き出し口を介してローディングトレイを出し入れし、光ディスクを筺体外のディスク装着位置と筺体内のディスク駆動位置との間で搬送できるようになっている。図５は、従来の光ディスクドライブ装置の一例を示す斜視図、図６は、図５に示した光ディスクドライブ装置の要部側面図である。
【０００３】
図５に示した光ディスクドライブ装置１は、記録媒体である光ディスク２をドライブ機構３により回転駆動し、光ピックアップ４を介して信号を記録又は再生する構成とされており、その主要部は偏平な箱状の筺体５に収容されている。筺体５前面には、光ディスク２をディスク装着位置とディスク駆動位置との間で搬送するローディングトレイ６のためのトレイ引き出し口５ａが開口している。ローディングトレイ６は、底面板６ａと、底面板６ａの両側に一体形成した一対の側面板６ｂと、底面板６ａの前端に一体形成した前面板６ｃとからなる。底面板６ａには、光ディスク２の外径よりも僅かに大径のディスク収納凹部が刻設されており、光ディスク２を載置されて拘束支持する。側面板６ｂには、ローディングトレイ６を筺体５内外に搬送するピニオン・ラック機構等のローディング機構（図示せず）が組み付けてある。前面板６ｃは、底面板６ａからの光ディスク２の飛び出しを防止するとともに、トレイ引き出し口５ａを覆って塵埃の侵入を防ぐ働きをする。６ｄは、光ピックアップ４が半径方向の走査するための案内路である。筺体５内のディスク駆動位置まで案内された光ディスク２は、昇降機構（図示せず）により光ピックアップ４とともに一体的に昇降駆動されるターンテーブルに付属するチャッキングプーリ３ａとこれに対向するクランパプレート３ｂとの間に挟持され、ターンテーブルとともに回転駆動される。
【０００４】
ところで、ローディングトレイ６先端に設けた前面板６ｃの背面には、弾性材料からなる防塵材７が固着してあり、図６に示したように、この防塵材７が筺体５のトレイ引き出し口５ａの開口部を囲繞する係合溝８に係合し、ローディングトレイ６がディスク駆動位置にあるときにトレイ引き出し口５ａの隙間から塵埃が筺体５内に侵入するのを阻止するようになっている。すなわち、ローディングトレイ６が筺体５内部に収容された状態にあっては、防塵材７によって筺体５前面と前面板６ｃとの間が閉塞され、筺体５の気密性が保たれる。
【０００５】
【発明が解決しようとする課題】
上記従来の光ディスクドライブ装置１は、防塵材７をローディングトレイ６の前面板６ｃの背面部分に貼着していたため、ローディングトレイ６の取り付け公差によって防塵材７と係合溝８との間に間隙ができてしまったときなどに、十分な防塵効果が得られないことがあり、またローディグトレイ６が筺体５内部にあって光ディスク２を回転駆動している状態において、気密性維持のためローディングトレイ６を筺体５奥側へ付勢し続けねばならないために、ローディング機構に対し余分な負荷を及ぼすといった課題があった。さらに、防塵材７は貼着面積の僅かな前面板６ｃの背面周縁部に両面テープによって貼着していたため、取り付け時の作業能率が非常に悪いといった課題を抱えるものであった。
【０００６】
本発明は、上記課題を解決したものであり、防塵材の取り付けが容易であり、しかも高い防塵性能を得ることのできる光ディスクドライブ装置を提供することを目的とするものである。
【０００７】
【課題を解決するための手段】
上記課題を解決するため、本発明に係る光ディスクドライブ装置は、
光ディスクを回転駆動し、光ピックアップにより記録又は再生を行うドライブ機構と、該ドライブ機構を収容し、前面にトレイ引き出し口が開口する筺体と、前記トレイ引き出し口を介して、ディスク装着位置とディスク駆動位置との間で前記筺体内外を往復動自在に保持したローディングトレイとを備えた光ディスクドライブ装置であって、
前記ローディングトレイは、前記トレイ引き出し口を覆う大きさの前面板と、該前面板の背面に突設したホルダ部と、該ホルダ部に一部分が撓み変形余裕を残して嵌装され、前記ディスク駆動位置において前記一部分が前記トレイ引き出し口の前記開口縁部と前記前面板の背面との間に介在して前記筺体内への塵埃の進入を阻止する防塵材とを具備し、
前記防塵材は、可撓性シートであり、前記ホルダ部に嵌装する筒状体と該筒状体から延出して前記一部分となるフラップ部とを具備することを特徴とする。
また、前記ホルダ部は、梁状の係合突起が複数箇所に突接されており、前記防塵材は、前記係合突起に係合して、位置決め及び抜け止めを果たす係合孔が複数箇所に穿設されていることを特徴とする。
また、前記筒状体の各側面の接続部分には切り込みが設けられていることを特徴とする。
【０００８】
また、本発明に係る防塵材は、光ディスクを回転駆動し、光ピックアップにより記録又は再生を行うドライブ機構と、該ドライブ機構を収容し、前面にトレイ引き出し口が開口する筺体と、前記トレイ引き出し口を介して、ディスク装着位置とディスク駆動位置との間で前記筺体内外を往復動自在に保持したローディングトレイとを備え、前記ローディングトレイは、前記トレイ引き出し口を覆う大きさの前面板と、該前面板の背面に突設したホルダ部を備えた光ディスクドライブ装置における可撓性シートである防塵材であって、
前記ホルダ部に嵌装する筒状体と該筒状体から延出して前記一部分となるフラップ部とを具備し、
前記ホルダ部に前記フラップ部が撓み変形余裕を残して嵌装され、前記ディスク駆動位置において前記フラップ部が前記トレイ引き出し口の前記開口縁部と前記前面板の背面との間に介在し、前記筺体内への塵埃の進入を阻止することを特徴とする。
また、前記ホルダ部は、梁状の係合突起が複数箇所に突接されており、前記防塵材は、前記係合突起に係合して、位置決め及び抜け止めを果たす係合孔が複数箇所に穿設されていることを特徴とする。
また、前記筒状体の各側面の接続部分には切り込みが設けられていることを特徴とする。
【０００９】
【発明の実施の形態】
以下、本発明の実施形態を図１ないし図５を参照して説明する。図１は本発明の光ディスクドライブ装置の一実施形態を示す要部側面図、図２は、図１に示した防塵材部分の分解斜視図、図３は、図２に示した防塵材部分の変形例を示す分解斜視図、図４は、防塵材の変形例を示す要部斜視図である。
【００１０】
図１に示す光ディスクドライブ装置１１は、ローディングトレイ１２の前面に取り付けた前面板１３の背面に配設される防塵材１４の構造を改良し、かつこの防塵材１４が簡単に装着できるよう前面板１３の背面形状に工夫を凝らしたものである。防塵材１４は、塩化ビニールシートやポリエステルフィルムシート或いはゴムシート等の可撓性シートを箱状に一体成型したものであり、図２に示したように、正面と背面が開口する四角筒状のダクト部１５と、ダクト部１５から延びる４枚のフラップ部１６とから構成される。ダクト部１５は、横長の２枚の水平側面１５ａと縦に短い２枚の垂直側面１５ｂを有しており、水平側面１５ａには左右端の近傍にそれぞれ係合孔１７が、また垂直側面１５ｂにはそのほぼ中央に係合孔１７が穿設してある。
【００１１】
一方、前面板１３の背面には、防塵材１４のダクト部１５が外挿嵌合により固定される四角筒状のホルダ部１８が突設してある。このホルダ部１８は、前面板１３に一体成型により形成したもので、四隅の各隅部近傍に形成した弾性に富む舌片１９に楔状の係合突起２０が突設してあり、係合突起２０の楔の方向は前面板１３の背面方向を向いている。
【００１２】
防塵材１４を取り付ける場合、まず防塵材１４のダクト部１５の正面開口部をホルダ部１８の開口部分に正対させ、そのままの姿勢でダクト部１５をホルダ部１８に押し込む。ダクト部１５は、計６個の係合孔１７に対し、ホルダ部１８の係合突起２０がすべて係合するまで押し込む。すべての係合突起２０が、楔状の案内面を滑らせて係合孔１７に係合し終えると、防塵材１４は前面板１３の背面にしっかりと固定される。また、このときにダクト部１５から延びる４枚のフラップ部１６は、可撓性を保ったまま先端が前面板１３の背面に係止され、ホルダ部１８の各面とは撓み余裕となる空間を介して対峙する。
【００１３】
こうして、防塵材１４は前面板１３の背面に嵌合固定され、ローディングトレイ１２をディスク装着位置からディスク駆動位置まで搬送駆動したときに、搬送終端においてフラップ部１６がトレイ引き出し口５ａの開口縁部と前面板１３の背面との間に介在し、フラップ部１６が撓み変形することで、トレイ引き出し口５ａの開口縁部と前面板１３の背面との間を気密に封止する。フラップ部１６の撓み変形に伴う弾発力はごく小さなものであり、従ってローディングトレイ１２をディスク駆動位置から排出させようとする力は殆どなく、従ってローディングトレイ１２をディスク駆動位置に保持する目的でローディング機構を常時駆動状態に付勢する必要はない。
【００１４】
このように、上記光ディスクドライブ装置１１によれば、光ディスク２のドライブ機構３を収容した筺体５の内外を、トレイ引き出し口５ａを介してディスク装着位置とディスク駆動位置との間で往復動するローディングトレイ１２に、トレイ引き出し口５ａを覆う大きさの前面板１３と、前面板１３の背面に突設したホルダ部１８と、ホルダ部１８にフラップ部１６が撓み変形余裕を残して嵌装され、ディスク駆動位置においてフラップ部１６がトレイ引き出し口５ａの開口縁部と前面板１３の背面との間に介在して筺体５内への塵埃の侵入を阻止する防塵材１４を設けて構成したから、ローディングトレイ１２がディスク駆動位置にあるときに、前面板１３背面のホルダ部１８に嵌合装着した防塵材１４の一部が撓み変形して筺体５前面のトレイ引き出し口５ａの開口縁部に密接し、外部からの塵埃の侵入を阻止することができ、防塵性能の維持とローディングトレイ１２のための駆動機構やその動力源に対する負荷抑制を両立させることができ、光ディスク２を回転駆動している最中にローディグトレイ１２を筺体５奥側に付勢して気密性を維持するといったことは不要であり、また防塵材１４は前面板１３背面に嵌装するだけで固定されるため、取り付けが非常に簡単であり、従来のように貼着面積の小さな前面板６ｃの背面周縁部に両面テープを使って防塵材７を貼着するといった能率の悪い組み付け作業は不要であり、しかも前面板１３の構造上の制約やローディングトレイの取り付け公差等に影響されることなく、しっかりと防塵機能を果たすことができる。
【００１５】
また、ホルダ部１８に、楔状の係合突起２０を複数箇所に突設し、防塵材１４に、係合突起２０に係合して位置決め及び抜け止めを果たす係合孔１７を複数箇所に穿設したので、ホルダ部１８とこれに嵌装される防塵材１４とを、係合突起２０と係合孔１７の係合により位置決め及び抜け止めされた状態で合体させることができ、これにより組み立て時の作業性の大幅な向上を図るとともに、ローディングトレイ１２の出し入れの繰り返しや多少乱暴な取り扱い等に起因する防塵材１４の脱落を確実に防止することができる。
【００１６】
さらに、防塵材１４が、トレイ引き出し口５ａに遊嵌するダクト部１５と、ダクト部１５から延出して前記一部分となるフラップ部１６とを具備するため、塩化ビニールシートやポリエステルフィルムシート或いはゴムシート等の可撓性シート等から一体成型により形成した防塵材１４を用い、気密シール部分にフラップ部１６の可撓性を十分活かした防塵構造を作り出すことができ、ローディングトレイ１２の駆動機構に対する過剰な負担を軽減し、良好な防塵性能を発揮することができる。
【００１７】
なお、上記実施形態では、前面板１３の背面に突設したホルダ部１８に弾性変形可能な舌片１９を形成し、この舌片１９に楔状の係合突起２０を突設する構成としたが、図３に要部を示す光ディスクドライブ装置２１のごとく、四角筒状のホルダ部２８の各面に直接楔状の係合突起３０を突設するようにしてもよい。また、防塵材の取り付け性を高めるため、例えば図４に示した防塵材３４のごとく、ダクト部３５の各側面の接続部分に１／３程度までの深さの切り込み３５ａを形成し、取り付け時のフラップ部３６の拡開範囲を拡大する構成とすることもできる。
【００１８】
【発明の効果】
以上説明したように、本発明によれば、光ディスクのドライブ機構を収容した筺体の内外を、トレイ引き出し口を介してディスク装着位置とディスク駆動位置との間で往復動するローディングトレイに、トレイ引き出し口を覆う大きさの前面板と、前面板の背面に突設したホルダ部と、ホルダ部に一部分が撓み変形余裕を残して嵌装され、ディスク駆動位置において該一部分がトレイ引き出し口の開口縁部と前面板の背面との間に介在して筺体内への塵埃の侵入を阻止する防塵材を設けて構成したから、ローディングトレイがディスク駆動位置にあるときに、前面板背面のホルダ部に嵌合装着した防塵材の一部が撓み変形して筺体前面のトレイ引き出し口の開口縁部に密接し、外部からの塵埃の侵入を阻止するため、防塵性能の維持とローディングトレイのための駆動機構やその動力源に対する負荷抑制を両立させることができ、光ディスクを回転駆動している最中にローディグトレイを筺体奥側に付勢して気密性を維持するといったことは不要であり、また防塵材は前面板背面に嵌装するだけで固定されるため、取り付けが非常に簡単であり、貼着面積の小さな前面板の背面周縁部に両面テープを使って防塵材を貼着するといった能率の悪い組み付け作業は不要であり、しかも前面板の構造上の制約やローディングトレイの取り付け公差等に影響されることなく、しっかりと防塵機能を果たすことができる等の優れた効果を奏する。
【００１９】
また、ホルダ部に、楔状の係合突起を複数箇所に突設し、防塵材に、係合突起に係合して位置決め及び抜け止めを果たす係合孔を複数箇所に穿設したから、ホルダ部とこれに嵌装される防塵材とを、係合突起と係合孔の係合により位置決め及び抜け止めされた状態で合体させることができ、これにより組み立て時の作業性の大幅な向上を図るとともに、ローディングトレイの出し入れの繰り返しや多少乱暴な取り扱い等に起因する防塵材の脱落を確実に防止することができる等の効果を奏する。
【００２０】
さらに、防塵材が、トレイ引き出し口に遊嵌する筒状体と、筒状体から延出して前記一部分となるフラップ部とを具備するため、塩化ビニールシートやポリエステルフィルムシート或いはゴムシート等の可撓性シート等から一体成型により形成した防塵材を用い、気密シール部分にフラップ部の可撓性を十分活かした防塵構造を作り出すことができ、ローディングトレイの駆動機構に対する過剰な負担を軽減し、良好な防塵性能を発揮することができる等の効果を奏する。
【図面の簡単な説明】
【図１】本発明の光ディスクドライブ装置の一実施形態を示す要部側面図である。
【図２】図２に示した防塵材部分の分解斜視図である。
【図３】図２に示した防塵材部分の変形例を示す分解斜視図である。
【図４】防塵材の変形例を示す要部分解斜視図である。
【図５】従来の光ディスクドライブ装置の一例を示す斜視図である。
【図６】図５に示した光ディスクドライブ装置の要部側面図である。
【符号の説明】
２  光ディスク
３  ドライブ機構
４  光ピックアップ
５  筺体
５ａ  トレイ引き出し口
１１，２１  光ディスクドライブ装置
１２  ローディングトレイ
１３  前面板
１４，３４  防塵材
１５，３５  筒状体（ダクト部）
１６，３６  フラップ部
１７  係合孔
１８，２８  ホルダ部
２０，３０  係合突起
【図１】
0003653896.tif 000002
【図２】
0003653896.tif 000003
【図３】
0003653896.tif 000004
【図４】
0003653896.tif 000005
【図５】
0003653896.tif 000006
【図６】
0003653896.tif 000007